(57)【要約】      （修正有）【課題】所定形状に結んだ状態の帯状の布体を襟元に装着した際の取り外しを容易に行うことができる留め具を提供する。【解決手段】帯状の布体を所定形状に結んだ状態で衣服の襟元に着脱可能に装着する留め具１０であって、留め具本体１１と、留め具本体１１の装着状態における上部を支点として解放位置と使用位置とに回動可能な係止部材１２と、留め具本体１１の装着状態における下部に設けたピン状の受け部材１３と、留め具本体１１の装着状態において下部から上方に向けて拡開する一対の羽部２６、２７を一体に備える羽部材１４と、を備え、係止部材１２は、使用位置に回動させた際に、係止部材１２の自由端寄り裏面と受け部材１３の先端との間に間隙を有する。【選択図】図１
0003211932.tif 000002
【実用新案登録請求の範囲】
【請求項１】
帯状の布体を所定形状に結んだ状態で衣服の襟元に着脱可能に装着する留め具であって、
留め具本体と、
前記留め具本体の装着状態における上部を支点として解放位置と使用位置とに回動可能な係止部材と、
前記留め具本体の装着状態における下部に設けたピン状の受け部材と、
前記留め具本体の装着状態において下部から上方に向けて拡開する一対の羽部を一体に備える羽部材と、
を備え、
前記係止部材は前記使用位置に回動させた際に、前記係止部材の自由端寄り裏面と前記受け部材の先端との間に間隙を有する、
ことを特徴とする留め具。
【請求項２】
前記留め具本体と、前記係止部材と、前記受け部材とが金属製である、
ことを特徴とする請求項１に記載の留め具。
【請求項３】
前記係止部材は、前記自由端を含む少なくとも一部を覆う軟質樹脂からなる被覆部材を備えることを特徴とする請求項２に記載の留め具。
【請求項４】
前記一対の羽部は、弾性変形可能な薄肉の合成樹脂であることを特徴とする請求項１に記載の留め具。
【請求項５】
前記一対の羽部は、弾性変形可能な薄肉の無色又は有色の合成樹脂であることを特徴とする請求項４に記載の留め具。
【請求項６】
前記羽部の先端は円弧状であること特徴とする請求項４又は請求項５に記載の留め具。
【請求項７】
前記羽部は、布体を所定形状に結んだ状態のときに先端が突出する長さを有することを特徴とする請求項６に記載の留め具。
【考案の詳細な説明】
【技術分野】
【０００１】
本考案は、帯状の布体を所定形状に結んだ状態で衣服の襟元に着脱可能に装着する留め具に関する。
【背景技術】
【０００２】
従来、ネクタイやリボン等の帯状の布体を所定形状に結んだ状態で、その結び目が衣服の襟元に位置するように、着脱可能に装着する留め具が知られている（例えば、特許文献１参照。）。なお、襟元とは、衣服の襟が前で合わさるあたりを意味する場合と、襟の後ろ側のあたりを意味する場合と、があるが、本考案においては、ネクタイやリボン等の帯状の布体の使用状態を基準とするため、以降の説明においては、衣服の襟が前で合わさるあたりを意味するものとする。また、以下の上下左右前後（表裏）の方向においても、適正に装着した使用状態を基準とする。
【０００３】
この際、上述した特許文献１に開示の留め具は、板ばね状の留め具本体の上部に係止部材を回動可能に保持し、留め具本体の下部に後方（裏面）に向けて突出するピン状のクランプ受け部を固定している。係止部材は、開放位置と使用位置とに回動可能とするとともに、使用位置に回動させた際にはクランプ受け部の先端に裏面が当接するようになっている。なお、実際の使用状態では、クランプ受け部の先端と係止部材の裏面との間には、襟元の一部が挟み込まれ、これにより、ネクタイやリボン等を襟元に留めておくことができる。
【先行技術文献】
【特許文献】
【０００４】
【特許文献１】実用新案登録第３１６９５０６号公報
【考案の概要】
【考案が解決しようとする課題】
【０００５】
しかしながら、上述した特許文献1に開示の技術は、係止部材を使用位置に回動させた際にはクランプ受け部の先端に裏面が当接するように構成しているため、間隙が存在しない構成を採用している。このため、ネクタイやリボン等を襟元に装着した際には、襟元の生地２枚（実際には重ね生地であるために全体が厚い）分を強固に挟み込んでいることと相俟って、留め具を取り外す際にクランプ部に指が入り難く、外し難いという問題が生じていた。
【０００６】
本考案は、所定形状に結んだ状態の帯状の布体を襟元に装着した際の取り外しを容易に行うことができる留め具を提供することを目的とする。
【課題を解決するための手段】
【０００７】
上記課題を解決するため、請求項１記載の考案にあっては、帯状の布体を所定形状に結んだ状態で衣服の襟元に着脱可能に装着する留め具であって、留め具本体と、留め具本体の装着状態における上部を支点として解放位置と使用位置とに回動可能な係止部材と、留め具本体の装着状態における下部に設けたピン状の受け部材と、留め具本体の装着状態において下部から上方に向けて拡開する一対の羽部を一体に備える羽部材と、を備え、係止部材は、使用位置に回動させた際に、係止部材の自由端寄り裏面と受け部材の先端との間に間隙を有する、ものである。
【０００８】
すなわち、留め具は、衣服の襟元に着脱可能に装着する際に、帯状の布体を所定形状に結んだ状態のまま装着可能とするものである。そこで、留め具は、留め具本体の装着状態において上部を支点として係止部材を解放位置と使用位置とに回動可能に設けている。また、留め具は、一対の羽部材を留め具本体の装着状態において下部から上方に向けて拡開させて設けている。さらに、留め具は、ピン状の受け部材を留め具本体の装着状態における下部に設ける。ここで、この受け部材の先端と使用位置に回動させた際の係止部材の自由端寄り裏面との間には、間隙を設けている。
【０００９】
請求項２に記載の考案にあっては、留め具本体と、係止部材と、受け部材と、が金属製である。すなわち、金属によって、留め具本体、係止部材、受け部材、の３つの部材を構成している。
【００１０】
請求項３に記載の考案にあっては、係止部材は、自由端を含む少なくとも一部を覆う軟質樹脂からなる被覆部材を備える、ものである。
すなわち、軟質樹脂からなる被覆部材によって係止部材の自由端を含む少なくとも一部を覆っている。
【００１１】
請求項４に記載の考案にあっては、一対の羽部は、弾性変形可能な薄肉の合成樹脂である。すなわち、弾性変形可能な薄肉の合成樹脂によって一対の羽部を構成している。
【００１２】
請求項５に記載の考案にあっては、一対の羽部は、弾性変形可能な薄肉の無色又は有色の合成樹脂からなる。すなわち、弾性変形可能な薄肉の無色又は有色の合成樹脂によって一対の羽部を構成している。
【００１３】
請求項６に記載の考案にあっては、羽部の先端は円弧状である。すなわち、弾性変形可能な合成樹脂によって一対の羽部を構成する際、その先端を円弧状に形成する。
【００１４】
請求項７に記載の考案にあっては、羽部は、布体を所定形状に結んだ状態のときに先端が突出する長さを有するものである。すなわち、布体を所定形状に結んだ状態のときに先端が突出する長さに羽部を形成する。
【考案の効果】
【００１５】
請求項１に記載の考案は、帯状の布体を所定形状に結んだ状態で衣服の襟元に着脱可能に装着する留め具であって、留め具本体と、留め具本体の装着状態における上部を支点として解放位置と使用位置とに回動可能な係止部材と、留め具本体の装着状態における下部に設けたピン状の受け部材と、留め具本体の装着状態において下部から上方に向けて拡開する一対の羽部を一体に備える羽部材と、を備え、係止部材は、使用位置に回動させた際に、係止部材の自由端寄り裏面と受け部材の先端との間に間隙を有するように構成されている。
【００１６】
すなわち、留め具は、衣服の襟元に着脱可能に装着する際に、帯状の布体を所定形状に結んだ状態のまま装着可能とするものである。そこで、留め具は、留め具本体の装着状態において上部を支点として係止部材を解放位置と使用位置とに回動可能に設けている。
また、留め具は、一対の羽部材を留め具本体の装着状態において下部から上方に向けて拡開させて設けている。さらに、留め具は、ピン状の受け部材を留め具本体の装着状態における下部に設ける。ここで、この受け部材の先端と使用位置に回動させた際の係止部材の自由端寄り裏面との間には間隙が形成される。
【００１７】
従って、従来はクランプ部材が受け部先端の裏面に当接し、襟元の生地を強固に挟み込んで締結するように構成されているが、請求項１記載の考案にあっては、クランプ部材を用いることなく単に係止部材により襟元の生地を挟み込むことなく、係止部材と受け部材との間の間隙を利用して襟元に係止させるのみであると共に、一対の羽部材により襟の裏面側に当接することから、係止部材と羽部材とによりクランプさせることなくシャツ等の襟元に容易に固定して使用することができる。その結果、従来よりも、容易にシャツへ装着できる留め具を提供することができる。
また、取り外す場合には、係止部材を使用位置に回動させた際に係止部材の自由端寄り裏面と受け部材の先端との間に設けた間隙に指を差し入れることにより、容易に係止部材を回動させて係止状態を解除すると共に、羽部材を襟裏から引き抜くことにより容易に取り外すことができる。
【００１８】
従って、請求項1記載の考案に係る留め具をネクタイに適用した場合には、一般のネクタイを外す場合とは異なり、係止部材を指で回動させることによりほぼ一挙動でネクタイをＹシャツから取り外すことができるため、場合によっては確実にネクタイの結び目をほどけず誤って使用者自ら首を絞めてしまう、という事態を有効に防止することが可能となる。
その結果、請求項1記載の考案に係る留め具をネクタイに適用することにより、例えば、タクシー運転手等が、酔った乗車客等により背後からネクタイを引っ張られた場合であっても、迅速かつ容易に留め具をネクタイと共にＹシャツから取り外すことができるため、ネクタイにより首を絞められる、という不測の事態を排除することができる。
【００１９】
請求項２に記載の考案は、留め具本体、係止部材、受け部材を金属製としている。すなわち、金属によって、留め具本体、係止部材、受け部材、の３つの部材を構成したことにより、全体強度を確保することができるうえ、係止部材の回動に伴う位置決めを容易に確保することができる。
【００２０】
請求項３に記載の考案は、係止部材の自由端を含む少なくとも一部を軟質樹脂からなる被覆部材で覆っている。すなわち、軟質樹脂からなる被覆部材によって係止部材の自由端を含む少なくとも一部を覆うことにより、軟質樹脂からなる被覆部財に着色処理を施すことができ、係止部材の色を布体の色柄等に合わせることができるうえ、金属アレルギーの人でも使用することが可能となる。
また、被覆部材に自由に着色処理が可能となることから、ネクタイ、ボウタイ等の布体の色彩、柄とのコーディネートが可能となり、ネクタイ、ボウタイ等の布体の外観品質の向上に寄与することが可能となる。
【００２１】
請求項４に記載の考案は、一対の羽部を弾性変形可能な薄肉の合成樹脂としていることから、布体の結び形状に対する変形性を確保しつつ確実に布対に係止させ、かつ結び後の結び形状の保形性を確保することができる。
【００２２】
請求項５に記載の考案は、一対の羽部を弾性変形可能な薄肉の無色又は有色の合成樹脂としている。すなわち、弾性変形可能な薄肉の無色又は有色の合成樹脂によって一対の羽部を構成していることにより、布体の結び形状に対する変形性を確保しつつ、結び後の結び形状の保形性を確保することができる。また、一対の羽部を弾性変形可能な薄肉の無色又は有色の合成樹脂としていることから、羽部への自由な着色処理が可能となるため、ネクタイ、ボウタイ等の布体の色彩、柄とのコーディネートが可能となり、ネクタイ、ボウタイ等の布体の外観品質の向上に寄与することが可能となる。
【００２３】
請求項６に記載の考案は、羽部の先端を円弧状としている。すなわち、弾性変形可能な合成樹脂によって一対の羽部を構成する際、その先端を円弧状に形成することにより、布体を襟元に装着する際や襟元から取り外す際に、誤って指や生地を傷付けたり、のど元を傷つけたりしてしまうことを抑制することができる。
【００２４】
請求項７に記載の考案は、羽部は、布体を所定形状に結んだ状態のときに先端が突出する長さを有している。布体を所定形状に結んだ状態のときに先端が突出する長さに羽部を形成することにより、例えば、衣服の襟の形状等に起因する高さの変化に対応することができる。
【図面の簡単な説明】
【００２５】
【図１】図１は、本考案の一実施の形態を示す留め具の分解斜視図である。
【図２】図２は、本考案の一実施の形態を示す留め具を示し、（Ａ）はクランプ部を解放状態としたときの側面図、（Ｅ）はクランプ部を使用状態としたときの側面図である。
【図３】図３は、本考案の一実施の形態を示す留め具を着脱式ネクタイに適用した例の要部の断面図である。
【図４】図４は、本考案の一実施の形態を示す留め具を着脱式ネクタイに適用してＹシャツに取り付けた例の説明図である。
【図５】図５は、本考案の他の一実施の形態を示す留め具の分解斜視図である。
【図６】図６は、本考案の一実施の形態を示す留め具を着脱式蝶ネクタイに適用してＹシャツに取り付けた例の説明図である。
【考案を実施するための形態】
【００２６】
以下、添付図面に基づいて、本考案の一実施形態に係る留め具について説明する。図１乃至図４は、本考案の一実施形態に係る留め具を着脱式ネクタイに適用した例を示す。
【００２７】
図１に示すように、留め具１０は、留め具本体１１と、留め具本体１１の装着状態における上部を支点として解放位置と使用位置とに回動可能な係止部材１２と、留め具本体１１の装着状態における下部に設けたピン状の受け部材１３と、留め具本体１１の下部に設けた羽部材１４とを備える。
留め具本体１１は、金属（例えば、ステンレス鋼など）の板材からなり、下部寄りの幅方向(左右方向）の略中央には受け部材貫通穴１５が形成されている。留め具本体１１は、幅方向の中央付近の２カ所に、高さ方向の中央付近から上縁に向かって平行な切り込みが設けられることにより、幅方向両側に位置する右舌片１６及び左舌片１７と、幅方向中央に位置する中舌片１８と、を弾性により湾曲可能に設けている。
【００２８】
したがって、留め具本体１１は、これら各舌片１６，１７，１８の湾曲を許容する金属材料並びに板厚を有する。この際、左右舌片１６，１７の自由端と中舌片１８の自由端とは、それぞれ相対する方向に湾曲可能としている。
左右舌片１６，１７の自由端と中舌片１８の自由端とは、互いに向き合う方向に開放するように屈曲した支持部１６ａ，１７ａ，１８ａを一体に有している。
【００２９】
係止部材１２は、金属（例えば、ステンレス鋼など）の板材を略コの字状に屈曲させたものからなり、その基部には左右両側に突出した鍔部１９，２０を含むＴの字状のヒンジ部２１を一体に有する。
【００３０】
このヒンジ部２１は、留め具本体１１の支持部１６ａ，１７ａと支持部１８ａとの間に回動可能に嵌装挟持される。
【００３１】
したがって、係止部材１２は、留め具本体１１の左右舌片１６，１７と中央の中舌片１８との相対向する弾性力により、解放位置（図２（Ａ）の位置）と使用位置（図２（Ｂ）の位置）との少なくとも２位置へ至るように回動することができる。
【００３２】
また、留め具本体１１の左右舌片１６，１７と中央の中舌片１８との相対向する弾性力は、上記各２位置にて係止部材１２を位置決めするようになっている。
【００３３】
この際、係止部材１２は、図２（Ｂ）に示すように、使用位置に回動させた際に、その自由端寄り裏面と受け部材１３の先端との間に間隙Ｐを有する。また、係止部材１２は、図２（Ｂ）に示すように、使用位置に回動させた際に、その自由端（先端）が受け部材１３よりも高さＴだけはみ出すようになっている。
【００３４】
係止部材１２は、その自由端を含む長さ方向の中央付近に至る範囲（一部）を、軟質樹脂からなる被覆部材２２により覆っている。なお、説明の便宜上、この被覆部材２２は、図１にのみ図示している。
【００３５】
受け部材１３は、金属（例えば、ステンレスなど）からピン状（軸状）に形成しており、受け部材貫通穴１５を貫通した配置される受け部材１３により留め具本体１１に支持される。
【００３６】
羽部材１４は、適度な剛性と弾性とを有する薄肉の合成樹脂素材からなり、図３及び図４に示すように、外観上の全体形状がネクタイ４０の結び目４１の形状に対応した略Ｖの字形状を呈している。
【００３７】
羽部材１４は、受け部材貫通穴２４が形成された基部（下部）２５と、基部２５から上方に向けて拡開する一対の一対の羽部２６，２７を一体に備える。
【００３８】
羽部材１４の一対の羽部２６，２７は、その内側角が約８０°〜１００゜になるよう設定して形成されている。この角度は、留め具１０をネクタイ４０に適用した際に、ネクタイ４０の結び目４１が自然な形（楕円丸型で、ネクタイを自分で結んだ場合と同様な形）になるように設定したものである。
【００３９】
なお、図示は省略するが、基部２５に留め具本体１１の左右両側と当接する回転防止用の突起等を一体に形成してもよい。
【００４０】
一対の羽部２６，２７は、例えば、弾性変形可能な薄肉の無色又は有色の合成樹脂から構成することができる。また、一対の羽部２６，２７の先端は円弧状とすることによって鋭利な先端とはなっていない。さらに、一対の羽部２６，２７は、図４に示すように、布体（ネクタイ４０）の結び目４１を所定形状に結んだ状態のときに先端が突出する長さを有する。
【００４１】
留め具１０を形成する場合には、先ず、留め具本体１１の左右舌片１６，１７の自由端と中央の中舌片１８の自由端とが互いに反対方向に離間するように押し広げながら支持部１６ａ，１７ａと支持部１８ａとの間に係止部材１２のヒンジ部２１を挿入する。
【００４２】
これにより、ヒンジ部２１の両側の鍔部１９，２０が留め具本体１１の各舌片１６，１７によって、また、ヒンジ部２１の中央部付け根部分が中舌片１８によってそれぞれ対向方向に押圧され、係止部材１２が留め具本体１１によって挟持された状態となる。
【００４３】
続いて、留め具本体１１の下部と、羽部材１４の基部２５とを重ね合わせ、受け部材貫通穴１５、２４を一致させて羽部材１４側から、受け部材貫通穴１５、２４内に受け部材１３を貫通させると共に、受け部材１３の先端部１３ａを背面側からカシメることにより固定する。
【００４４】
一方、このように組み付けた留め具１０は、予め、所定の位置に穴を設けたネクタイ４０に結び目４１を作りつつ、各穴に係止部材１２及び受け部材１３を貫通させ、ワッシャ２８を受け部材１３に嵌め込むことで結び目４１が解れることなくネクタイ４０を留め具１０に装着することができる。
【００４５】
さらに、ネクタイ４０を装着した留め具１０は、例えば、図４に示すＹシャツの襟元に係止部材１２を解放状態から使用状態へと回動させ、Ｙシャツ生地を受け部材１３の先端と係止部材１２の自由端寄りとで挟み込むと共に、羽部材１４の一対の羽部２６、２７を襟の裏面側に挿入し、羽部２６、２７により襟部の内側端部に係止させるようにして装着する。
【００４６】
逆に、ネクタイ４０を取り外す際には、受け部材１３の先端と係止部材１２の裏面との間に間隙Ｐを設けたことにより、その間隙Ｐに指を入れ係止部材１２を開放側へと回動させると共に、羽部材１４の一対の羽部２６、２７を襟の裏面側から下方へ抜き出すことにより取り外すことができる。
【００４７】
また、係止部材１２を使用位置に回動させた際には、係止部材１２の自由端寄り裏面と受け部材１３の先端との間に間隙Ｐを有していることにより、所定形状に結んだ状態の帯状の布体を襟元に装着した際の取り外しを容易に行うことができる。
【００４８】
また、留め具本体１１、係止部材１２、受け部材１３、を金属製としたことにより、全体強度を確保することができるうえ、係止部材１２の回動に伴う位置決めを容易に確保することができる。
【００４９】
また、係止部材１２の自由端を含む少なくとも一部を軟質樹脂からなる被覆部材２２で覆うことにより、係止部材１２の色を布体の色柄等に合わせてコーディネートを図ることができるうえ、金属アレルギーの人でも使用することが可能となる。
【００５０】
また、一対の羽部２６，２７を弾性変形可能な薄肉の合成樹脂とすることにより、布体の結び形状に対する変形性を確保しつつＹシャツの襟裏面側に係止させることができ、また、結び後の結び形状の保形性を確保することができる。
【００５１】
また、一対の羽部２６，２７を弾性変形可能な薄肉の無色又は有色の合成樹脂とすることにより、布体の結び形状に対する変形性を確保しつつ、結び後の結び形状の保形性を確保することができるばかりでなく、布体の色柄と見掛け上の一体感を具備させ、ネクタイの外観品質を向上させることができる。
【００５２】
また、羽部２６，２７の先端２６ａ、２７ａを円弧状とすることにより、布体を襟元に装着する際や襟元から取り外す際に、誤って指や生地やのど元を傷付けてしまう事態を回避することができる。
【００５３】
また、羽部２６，２７は、布体を所定形状に結んだ状態のときに先端が突出する長さを有することにより、例えば、衣服の襟の形状等に起因する高さの変化に対応することができる。
【００５４】
なお、ネクタイ４０は、上述した先端部分が剣先のように尖っている結び下げのネクタイ４０であっても、例えば、大剣の幅が７ｃｍ〜９ｃｍのダービータイ（レギュラータイ）や、大剣の幅が４ｃｍ〜６ｃｍのナロータイのような種類がある。これに対して、留め具１０は、羽部２６，２７の角度や長さを変更するだけで対応が可能となっている。
【００５５】
また、Ｙシャツの襟の形状は、図４に示したレギュラーカラーのほか、例えば、ワイドカラー、ナローショートカラー、ボタンダウンカラー、ドゥエボットーニカラー（襟高がやや高く、襟元に２個のボタンを設けたもの）などの各種に対応が可能である。
【００５６】
さらに、ネクタイ４０の結び目４１は、プレーンノット、ウィンザーノット、セミウィンザーノット、ダブルノット等の各種の結び方に対応することができる。
【００５７】
この際、パーティや結構式などの際に、普段は結ばないような特殊な結び方としてエルドリッジ・ノットやトリニティノットに結んだネクタイとしても良い。このような結び方は、特殊であるために結び方も難しくなるため、予め結んだ状態となっていれば、ネクタイ４０としての汎用性を向上させることができる。
【００５８】
上記実施の形態では、留め具１０をネクタイ４０に装着したものとして説明したが、例えば、留め具３０を図５に示すように構成し、図６に示すように、蝶ネクタイ（ボウタイ）５０に適用することも可能である。以下、保形用の板バネ３１を除く構成は、上述した図１〜図４に基づいて説明した留め具１０の構成と同一であるので、留め具１０の構成と同一の構成については、同一の符号を付してその詳細な説明は省略し、特有の構成についてのみを説明する。
【００５９】
本実施の形態に係る留め具３０は、留め具１０と同様に、留め具本体１１と、留め具本体１１の装着状態における上部を支点として解放位置と使用位置とに回動可能な係止部材１２と、留め具本体１１の装着状態における下部に設けたピン状の受け部材１３と、留め具本体１１の下部に設けた羽部材１４と、に加え、板バネ３１を備える。
【００６０】
板バネ３１は、金属（例えば、銅など）から薄肉の板状に形成しており、下部寄りに受け部材貫通穴３２を貫通するリベット２３により留め具本体１１に支持される。
【００６１】
板バネ３１は、受け部材貫通穴３２よりもさらに下端寄りに、矩形の挿入孔３３を形成している。
【００６２】
板バネ３１の上部には、挿入孔３３に挿入可能な挿入片３４を一体に有している。挿入片３４の断面形状と挿入穴３３の穴形状とは略同じである。これにより、板バネ３１の全体を円弧状に屈曲させ、挿入片３４を挿入孔３３に挿入することにより、蝶ネクタイ５０の左右の装飾部（ウイング）５１の中央に位置して装飾部５１を絞り込むようにループする絞り部（結び目）５２の内側において、この絞り部５２のループ形状を維持する保形用部材として機能することができる。
【００６３】
このように、留め具３０は、蝶ネクタイ５０に対しても上記と同様の作用・効果を発揮することができる。なお、蝶ネクタイ５０とは別に、例えば婦人用の垂らし結び（リボン）屁の適用も可能である。
【符号の説明】
【００６４】
１０    留め具
１１    留め具本体
１２    係止部材
１３    受け部材
１３ａ  先端部
１４    羽部材
１５    受け部材貫通穴
１６    右舌片
１６ａ    支持部
１７    左舌片
１７ａ      支持部
１８    舌片
１８ａ    支持部
１９    鍔部
２１    ヒンジ部
２２    被覆部材
２４    受け部材貫通穴
２５    基部
２６    羽部
２６ａ    先端
２７    羽部
２７ａ    先端
２８    ワッシャ
３０    留め具
３１    板バネ
３２    受け部材貫通穴
３３    挿入孔
３４    挿入片
４０    ネクタイ
４１    結び目
５０    蝶ネクタイ
５１    装飾部
５２    絞り部
Ｐ    間隙
Ｔ    高さ
【図１】
0003211932.tif 000003
【図２】
0003211932.tif 000004
【図３】
0003211932.tif 000005
【図４】
0003211932.tif 000006
【図５】
0003211932.tif 000007
【図６】
0003211932.tif 000008